(57)【要約】      （修正有）【課題】レンズ交換式２眼３Ｄ撮影装置において、２つのマウントに異なるレンズが装着されていた場合でも、２Ｄ撮影と３Ｄ撮影のモード切替を可能にする。【解決手段】複数のマウントに対応した撮像部と各々のマウントに装着されているレンズのレンズ情報を取得する手段と、取得したレンズ情報を記録しておくメモリ部と、２Ｄ及び３Ｄ撮影モードを切替可能であり、前記メモリ部に各マウントから得られるレンズ情報と、各々の前記レンズの共通範囲を記録し２Ｄ撮影モードから３Ｄ撮影モードへ切り替えた場合、２Ｄ撮影モード時のレンズパラメータを取得し、前記共通範囲と比較し、２Ｄ撮影モード時のレンズパラメータが前記範囲に入っている場合、他方のレンズパラメータをそれに合わせ、２Ｄ撮影モード時のレンズパラメータが前記範囲に入っていなかった場合には、上記の範囲内の所定のパラメータに２本のレンズパラメータを合わせるようにレンズを制御する。【選択図】図３
2016045265.tif 000002
【特許請求の範囲】
【請求項１】
複数のマウントと各々のマウントに対応した撮像部と
各々のマウントに装着されているレンズのレンズ情報を取得する手段と、
取得したレンズ情報を記録しておくメモリ部と、
２Ｄ及び３Ｄ撮影モードを切替可能な撮像装置において、
前記メモリ部に各々の前記マウントから得られるレンズ情報と、
各々の前記レンズの共通範囲を記録し、
２Ｄ撮影モードから３Ｄ撮影モードへ切り替えた場合、
２Ｄ撮影モードにおいて使用していたレンズのパラメータを取得し、
前記共通範囲と比較し、
２Ｄ撮影モード時に使用していたレンズパラメータが前記範囲に入っている場合、
他方のレンズのパラメータをそれに合わせ、
２Ｄ撮影モード時に仕様していたレンズのパラメータが前記範囲に入っていなかった場合には、上記の範囲内の所定のパラメータに２本のレンズのパラメータを合わせるようにレンズを制御する制御手段を設けたことを特徴とする撮像装置。
【請求項２】
前記所定のパラメータとは、前記範囲の一番近傍であることを特徴とする請求項１に記載の撮像装置。
【請求項３】
前記範囲の一番近傍とは、前記範囲をワイド側に越えていた場合前記範囲のワイド端であることを特徴とする請求項１又は請求項２に記載の撮像措置。
【請求項４】
前記範囲の一番近傍とは、前記範囲をテレ側に越えていた場合前記範囲のテレ端であることを特徴とする請求項１又は請求項２の撮像措置。
【請求項５】
前記所定のパラメータとは、前記範囲のワイド端であることを特徴とする請求項１に記載の撮像装置。
【請求項６】
前記所定のパラメータとは、前記範囲のテレ端であることを特徴とする請求項１に記載の撮像装置。
【請求項７】
前記所定のパラメータとは、前記範囲内にある２本のレンズの中間位置の一番近傍であることを特徴とする請求項１に記載の撮像装置。
【請求項８】
複数のマウントと各々のマウントに対応した撮像部と
各々のマウントに装着されているレンズのレンズ情報を取得する手段と、
取得したレンズ情報を記録しておくメモリ部と、
２Ｄ及び３Ｄ撮影モードを切替可能な撮像装置において、
前記メモリ部に各々の前記マウントから得られるレンズ情報と、
各々の前記レンズの共通範囲を記録し、
２Ｄ撮影モードから３Ｄ撮影モードへ切り替えた場合、
２本のレンズを前記共通範囲内の所定のパラメータに合わせることを特徴とする撮像装置。
【請求項９】
前記所定のパラメータとは、前記範囲のワイド端であることを特徴とする請求項９に記載の撮像装置。
【請求項１０】
前記所定のパラメータとは、前記範囲のテレ端であることを特徴とする請求項９に記載の撮像装置。
【請求項１１】
前記所定のパラメータとは、前記範囲内にある２本のレンズの中間位置の一番近傍であることを特徴とする請求項９に記載の撮像装置。
【請求項１２】
３Ｄ撮影モードから２Ｄ撮影モードへ切り替えた場合、直前の２Ｄ撮影モードにて使用していたレンズを使用することを特徴とする請求項１乃至請求項１１の何れか一項に記載の撮像装置。
【発明の詳細な説明】
【技術分野】
【０００１】
本発明は、レンズ交換式２眼３Ｄ撮像装置における２Ｄと３Ｄのモード切替時のレンズ制御に関する。
【背景技術】
【０００２】
従来の２眼３Ｄ撮像装置は、撮像装置内にレンズやセンサといった撮像光学系を２つ有し、それぞれの撮像光学系において取得される画像を処理する画像処理部と、レンズの倍率・絞り等の光学系を調整するレンズ制御部と、画像処理部によって生成された画像や光学系の設定などを保存するメモリ部と、画像処理部によって生成された画像やメモリ部に保存された画像を確認するための表示部を備えている。
【０００３】
また２眼３Ｄ撮像装置は、両方の撮像光学系を使用した３Ｄ撮影モードと、片方の撮像光学系を使用した２Ｄ撮影モードを備えており、それぞれのモードを切り替えて撮影可能である。撮像装置内に撮像光学系を内蔵しているため、３Ｄ撮影に適した光学系のパラメータ（例えば、焦点距離）を事前にメモリに記憶させておくことができ、２Ｄ撮影モードから３Ｄ撮影モードに切り替えられた際には、記憶しておいた光学系のパラメータを読み込んでくるだけでモード切り替えすることができる。また特許文献１のように、それぞれの撮像光学系から得られる画像からそれぞれ特徴点を抽出し（例えば、人の肩幅の距離などを算出し）、特徴点を比較し、同じになるように２つの光学系の性能を合わせる技術もある。
【０００４】
またレンズ交換式２眼３Ｄ撮像装置が先行技術にある（特許文献１参照）。前述の２眼３Ｄ撮像装置と比較した場合、撮像装置内にレンズを備えておらず、その代わりにレンズマウントを二つ有しており、多種多様なレンズが装着可能である。
【先行技術文献】
【特許文献】
【０００５】
【特許文献１】特開２０１０―１０３９４９号公報
【発明の概要】
【発明が解決しようとする課題】
【０００６】
しかしながら、前述の通りレンズ交換式２眼３Ｄ撮像装置においては、装着できるレンズが多様なため、装着したレンズの組み合わせごとに３Ｄ画像が撮影できる光学性能の領域が異なる、もしくは、３Ｄ画像が撮影できない場合がある。つまり２本のレンズ性能の共通範囲でしか３Ｄ撮影ができない、もしくは共通範囲がなかった場合３Ｄ撮影モードに入れない場合がある。そのため、３Ｄ撮影モードに入る際、内蔵メモリに２本のレンズの光学特性を合わせるための情報を蓄えておくことができないという問題があった。また特許文献１の技術のように、２本のレンズから得られる画像情報から２本のレンズの光学性能を合わせようとしても、一方のレンズが取得している画像の光学性能に対して他方の光学性能を合わせることができない可能性がある。
【０００７】
本発明の目的は、レンズ交換式２眼３Ｄ撮影装置において、２つのマウントに対して異なるレンズが装着されていた場合でも、２Ｄ撮影と３Ｄ撮影のモード切替を可能にすることにある。
【課題を解決するための手段】
【０００８】
本発明の撮像装置は、
複数のマウントと各々のマウントに対応した撮像部と各々のマウントに装着されているレンズのレンズ情報を取得する手段と、取得したレンズ情報を記録しておくメモリ部と、２Ｄ及び３Ｄ撮影モードを切替可能であり、
前記メモリ部に各々の前記マウントから得られるレンズ情報と、各々の前記レンズの共通範囲を記録して、
２Ｄ撮影モードから３Ｄ撮影モードへ切り替えた場合、２Ｄ撮影モードにおいて使用していたレンズのパラメータを取得し、
前記共通範囲と比較し、２Ｄ撮影モード時に使用していたレンズパラメータが前記範囲に入っている場合、他方のレンズのパラメータをそれに合わせ、
２Ｄ撮影モード時に仕様していたレンズのパラメータが前記範囲に入っていなかった場合には、上記の範囲内の所定のパラメータに２本のレンズのパラメータを合わせるようにレンズを制御する制御手段を設けたことを特徴とする。
【発明の効果】
【０００９】
本発明によれば、交換レンズ式２眼３Ｄ撮影モードにおいて、２つのマウントに異なるレンズが装着されていたとしても、２Ｄ撮影と３Ｄ撮影のモード切替を可能にすることができる。
【図面の簡単な説明】
【００１０】
【図１】本発明の第１の実施形態に関わるレンズ交換式２眼３Ｄ撮像装置の斜視図である。
【図２】本発明の第１の実施形態に関わるレンズ交換式２眼３Ｄ撮像装置のシステム図である。
【図３】本発明の第１の実施形態に関わる２Ｄ撮影モードから３Ｄ撮影モードへと切替指示が出された際のフローチャートである。
【図４】本発明の第１の実施形態に関わる２Ｄ撮影モードから３Ｄ撮影モードへと切替指示前後のレンズの焦点距離の位置情報を表わす図である。（Ａ）が２Ｄ撮影モードにて使用していた焦点距離が２本のレンズの共通範囲に入っていた場合で、（Ｂ）２Ｄ撮影モードにて使用していたレンズの焦点距離が２本のレンズの共通範囲に入っていなかった場合である。
【図５】本発明の第１の実施形態に関わる３Ｄ撮影モードから２Ｄ撮影モードへと切替指示が出された際のフローチャートである。
【図６】本発明の第２の実施形態に関わる２Ｄ撮影モードから３Ｄ撮影モードへと切替指示が出された際のフローチャートである。
【図７】本発明の第３の実施形態に関わる２Ｄ撮影モードから３Ｄ撮影モードへと切替指示が出された際のフローチャートである。
【図８】本発明の第４の実施形態に関わる２Ｄ撮影モードから３Ｄ撮影モードへと切替指示が出された際のフローチャートである。
【図９】本発明の第５の実施形態に関わる２Ｄ撮影モードから３Ｄ撮影モードへと切替指示が出された際のフローチャートである。
【図１０】本発明の第６の実施形態に関わる２Ｄ撮影モードから３Ｄ撮影モードへと切替指示が出された際のフローチャートである。
【図１１】本発明の第７の実施形態に関わる２Ｄ撮影モードから３Ｄ撮影モードへと切替指示が出された際のフローチャートである。
【発明を実施するための形態】
【００１１】
＜第１の実施形態＞
本発明の第１の実施形態として、レンズ交換式の２眼３Ｄ撮像装置を用いて詳細な説明を行う。以下においては、レンズ交換式２眼３Ｄ撮像装置を撮像装置と呼ぶ。本発明の第１の実施形態に関わる撮像装置１００の外観に関して図１に基づいて説明する。図１（Ａ）は、レンズ１０１、１０２を取り付け状態の斜視図、図１（Ｂ）は、レンズ１０１、１０２を取り外した状態の斜視図である。
【００１２】
撮像装置１００は、二つのマウント部１０３、１０４を有しており、マウント部１０３、１０４は、レンズ１０１、１０２と撮像装置１００本体間を通信するための接点部１０５、１０６を有している。マウント１０３、１０４は、図１（Ａ）のようにそれぞれ異なるレンズ１０１、１０２を装着することが可能である。また、撮像光学系の光軸方向において、マウント部１０３、１０４に対して被写体の反対側に、センサ１０７、１０８を配置しており、撮影画像を取得できるようになっている。そして、表示部１０９を備えており、撮影画像やレンズ状態を確認することができる。また、ズームキー１１０を備えており、レンズ１０１、１０２の焦点距離が同様になるズーム操作が可能になっている。
【００１３】
本発明の第１の実施形態に関わる撮像装置２００のシステムに関して図２に基づいて説明する。まず被写体から入ってくる光がレンズ２０１、２０２を通してセンサ２０７、２０８に受光される。センサ２０７、２０８で得た画像データがＣＰＵ２１３によって処理され、表示部２０９に表示される。撮像装置１００は、２Ｄ画像を撮影できる２Ｄ撮影モードと３Ｄ画像を撮影できる３Ｄ撮影モードが存在し、２Ｄ画像はセンサ２０７、２０８で受光したどちらか一方の画像を用いて生成され、３Ｄ画像はセンサ２０７、２０８で受光した両方の画像データを用いて生成される。
【００１４】
また装着されているレンズ２０１、２０２の情報は、レンズ制御部２１４によって、マウント接点２０５、２０６とレンズ接点２１１、２１２を通じて得られ、メモリ部２１５へ記録される。またレンズ２０１、２０２の情報をもとに、レンズ２０１、２０２の焦点距離を制御できる範囲をＣＰＵ２１３が判断し、レンズ２０１、２０２の焦点距離をレンズ制御部２１４によって、マウント接点２０５、２０６、レンズ接点２１１、２１２を通して制御する。例えば、３Ｄ画像の撮影時においては、レンズ２０１、２０２の光学特性を合わせ、３Ｄ画像の撮影に適した光学特性を判断し、レンズ２０１、２０２を適切な状態で使用できるように制御する。またズームキー２１０によって信号が入力された場合、レンズ制御部２１４からマウント接点２０５、２０６、レンズ接点２１１、２１２を通じて、レンズ２０１、２０２の焦点距離が同様になるように、ズーム動作させる。
【００１５】
本発明の第１の実施形態に関わる撮像装置における２Ｄ撮影モードから３Ｄ撮影モードへと切替指示が出された際の制御に関して説明を行う。フローチャートを図３に示し、切替指示前後のレンズ位置を図４に示す。図４は、それぞれのバーがズームレンズの焦点距離範囲を示しており、バーの黒塗り部が共通焦点距離範囲となっている。
【００１６】
▲が切替入力指示直前のレンズ位置、△が切替入力指示後のレンズ位置となっており、レンズ１が２Ｄ撮影モードにて撮影を行っていたレンズ、レンズ２が２Ｄ撮影モードにて撮影を行っていなかったレンズである。ただし、実施形態のフローの前提として、撮像装置に装着されているレンズの焦点距離範囲の情報は取得してあり、共通の焦点距離範囲と共にメモリ部に蓄えてありることとする。
【００１７】
まず２０１において、２Ｄ撮影モードから３Ｄ撮影モードへの切替スイッチが押され、切替入力が行われる。次に２０２において、事前に取得してある共通焦点距離範囲があるかどうかの判断がなされる。共通焦点距離範囲があると判断された場合は、２０３において切替入力が行われる直前の２Ｄ撮影モードにて使用されていたレンズ焦点距離情報を取得する。次に２０４において、２０３で取得したレンズ情報に関して、あらかじめ取得してある共通焦点距離範囲に含まれるかどうかを判断する。
【００１８】
２０４において、共通焦点距離範囲に含まれると判断された場合、２０５において、２Ｄ撮影モードにて使用していた焦点距離に他方のレンズの焦点距離を合わせ、２０６において、３Ｄ撮影モードが開始される。図４（Ａ）において、レンズ２の焦点距離位置がレンズ１に合わされている。
【００１９】
また２０４において、共通焦点距離範囲に含まれないと判断された場合、２０７において、２０３で取得した焦点距離情報に対して、あらかじめ取得してある共通焦点距離範囲の一番近傍の焦点距離に２本のレンズを合わせ、２０６において、３Ｄ撮影モードが開始される。図４（Ｂ）において、レンズ１の焦点距離が共通焦点距離範囲よりテレ端側に外れているため、レンズ１・レンズ２の焦点距離は共通焦点距離の中のテレ端側に合わされている。もしワイド端側に外れていた場合は、ワイド端に合わされる。２０２において、共通焦点距離範囲がない場合は、２０９において表示部に警告が出され、２１０において３Ｄ撮影モードに切り替えられることなく２Ｄ撮影モードが再開される。
【００２０】
前述のように制御されることで、２Ｄ撮影時に使用していた画角と同一ないし、近い画角にて３Ｄ撮影を開始することができ、ユーザに違和感を与えることがないという利点がある。
【００２１】
本発明の第１の実施形態に関わる撮像装置における３Ｄ撮影モードから２Ｄ撮影モードへと切替指示が出された際の制御に関して、図５のフローチャートを用いて説明を行う。ただし、実施形態のフローの前提として、直前の２Ｄ撮影時において使用していたマウントマウントがどちらかであるかの情報は、メモリ部に蓄えてあることとする。
【００２２】
３０１において、２Ｄ撮影モードから３Ｄ撮影モードへと切替スイッチが押され、切替入力が行われる。３０２において、直前の２Ｄ撮影時に使用していた側のマウンド部がどちらかであるかの情報をメモリ部から取得する。３０３において、取得したマウント側のレンズを用いて２Ｄ撮影モードが開始される。直前の２Ｄ撮影時に使用していたマウント側に２Ｄ撮影に適したレンズが装着されている可能性が高く、モード切替直後に撮影に使用するマウント部を切り替える頻度が減るという利点がある。
【００２３】
＜第２の実施形態＞
本発明の第２の実施形態に関わる撮像装置の外観及びシステムは、第１の実施形態と同一であり、制御に関する部分のみ異なるため、制御に関してのみ説明を行う。本発明の第１の実施形態に関わる撮像装置における２Ｄ撮影モードから３Ｄ撮影モードへと切替指示が出された際の制御に関して説明を行う。フローチャートを図６に示す。ただし、実施形態のフローの前提として、撮像装置に装着されているレンズの焦点距離範囲の情報は取得してあり、共通の焦点距離範囲と共にメモリ部に蓄えてあることとする。
【００２４】
まず４０１において、２Ｄ撮影モードから３Ｄ撮影モードへの切替スイッチが押され、切替入力が行われる。次に４０２において、事前に取得してある共通焦点距離範囲があるかどうかの判断がなされる。共通焦点距離範囲があると判断された場合は、４０３において切替入力が行われる直前の２Ｄ撮影モードにて使用されていたレンズ焦点距離情報を取得する。次に４０４において、４０３で取得したレンズ情報に関して、あらかじめ取得してある共通焦点距離範囲に含まれるかどうかを判断する。４０４において、共通焦点距離範囲に含まれると判断された場合、４０５において、２Ｄ撮影モードにて使用していた焦点距離に他方のレンズの焦点距離を合わせ、４０６において、３Ｄ撮影モードが開始される。また４０４において、共通焦点距離範囲に含まれないと判断された場合、４０７において、あらかじめ取得してある共通焦点距離範囲の一番ワイド端側の焦点距離に２本のレンズを合わせ、４０６において、３Ｄ撮影モードが開始される。
【００２５】
４０２において、共通焦点距離範囲がない場合は、４０９において表示部に警告が出され、４１０において３Ｄ撮影モードに切り替えられることなく２Ｄ撮影モードが再開される。
【００２６】
前述のように制御されることで、３Ｄ撮影を開始する際に撮影できる最大の画角を知ることができ、また画像の切りだし等あとからの編集がやりやすいという利点がある。また３Ｄ撮影モードから２Ｄ撮影モードへの切替時の制御も第１の実施形態と同様である。
【００２７】
＜第３の実施形態＞
本発明の第３の実施形態に関わる撮像装置の外観及びシステムは、第１の実施形態と同一であり、制御に関する部分のみ異なるため、制御に関してのみ説明を行う。本発明の第１の実施形態に関わる撮像装置における２Ｄ撮影モードから３Ｄ撮影モードへと切替指示が出された際の制御に関して説明を行う。フローチャートを図７に示す。ただし、実施形態のフローの前提として、撮像装置に装着されているレンズの焦点距離範囲の情報は取得してあり、共通の焦点距離範囲と共にメモリ部に蓄えてあることとする。
【００２８】
まず５０１において、２Ｄ撮影モードから３Ｄ撮影モードへの切替スイッチが押され、切替入力が行われる。次に５０２において、事前に取得してある共通焦点距離範囲があるかどうかの判断がなされる。共通焦点距離範囲があると判断された場合は、５０３において切替入力が行われる直前の２Ｄ撮影モードにて使用されていたレンズ焦点距離情報を取得する。次に５０４において、５０３で取得したレンズ情報に関して、あらかじめ取得してある共通焦点距離範囲に含まれるかどうかを判断する。
【００２９】
５０４において、共通焦点距離範囲に含まれると判断された場合、５０５において、２Ｄ撮影モードにて使用していた焦点距離に他方のレンズの焦点距離を合わせ、５０６において、３Ｄ撮影モードが開始される。また５０４において、共通焦点距離範囲に含まれないと判断された場合、５０７において、あらかじめ取得してある共通焦点距離範囲の一番テレ端側の焦点距離に２本のレンズを合わせ、５０６において、３Ｄ撮影モードが開始される。５０２において、共通焦点距離範囲がない場合は、５０９において表示部に警告が出され、５１０において３Ｄ撮影モードに切り替えられることなく２Ｄ撮影モードが再開される。
【００３０】
前述のように制御されることで、３Ｄ撮影を開始する際に３Ｄ画像の撮影において必要な視差や歪みの調整をする際に高い精度で行うことができるという利点がある。また３Ｄ撮影モードから２Ｄ撮影モードへの切替時の制御も第１の実施形態と同様である。
【００３１】
＜第４の実施形態＞
本発明の第４の実施形態に関わる撮像装置の外観及びシステムは、第１の実施形態と同一であり、制御に関する部分のみ異なるため、制御に関してのみ説明を行う。本発明の第１の実施形態に関わる撮像装置における２Ｄ撮影モードから３Ｄ撮影モードへと切替指示が出された際の制御に関して説明を行う。フローチャートを図８に示す。ただし、実施形態のフローの前提として、撮像装置に装着されているレンズの焦点距離範囲の情報は取得してあり、共通の焦点距離範囲と共にメモリ部に蓄えてあることとする。
【００３２】
まず６０１において、２Ｄ撮影モードから３Ｄ撮影モードへの切替スイッチが押され、切替入力が行われる。次に６０２において、事前に取得してある共通焦点距離範囲があるかどうかの判断がなされる。共通焦点距離範囲があると判断された場合は、６０３において切替入力が行われる直前の２Ｄ撮影モードにて使用されていたレンズ焦点距離情報を取得する。次に６０４において、６０３で取得したレンズ情報に関して、あらかじめ取得してある共通焦点距離範囲に含まれるかどうかを判断する。
【００３３】
６０４において、共通焦点距離範囲に含まれると判断された場合、６０５において、２Ｄ撮影モードにて使用していた焦点距離に他方のレンズの焦点距離を合わせ、６０６において、３Ｄ撮影モードが開始される。また６０４において、共通焦点距離範囲に含まれないと判断された場合、６０７において、２Ｄ撮影時に使用していたレンズの焦点距離の位置と他方の焦点距離の中間位置、あるいは、前述した中間の焦点距離から一番近傍の共通焦点距離範囲の焦点距離に２本のレンズを合わせ、６０６において、３Ｄ撮影モードが開始される。
【００３４】
６０２において、共通焦点距離範囲がない場合は、６０９において表示部に警告が出され、６１０において３Ｄ撮影モードに切り替えられることなく２Ｄ撮影モードが再開される。前述のように制御されることで、３Ｄ撮影を開始する際にレンズを動かす量を最小にできるため、素早く３Ｄ撮影モードに入れるという利点がある。また３Ｄ撮影モードから２Ｄ撮影モードへの切替時の制御も第１の実施形態と同様である。
【００３５】
＜第５の実施形態＞
本発明の第５の実施形態に関わる撮像装置の外観及びシステムは、第１の実施形態と同一であり、制御に関する部分のみ異なるため、制御に関してのみ説明を行う。本発明の第１の実施形態に関わる撮像装置における２Ｄ撮影モードから３Ｄ撮影モードへと切替指示が出された際の制御に関して説明を行う。フローチャートを図９に示す。ただし、実施形態のフローの前提として、撮像装置に装着されているレンズの焦点距離範囲の情報は取得してあり、共通の焦点距離範囲と共にメモリ部に蓄えてあることとする。
【００３６】
まず７０１において、２Ｄ撮影モードから３Ｄ撮影モードへの切替スイッチが押され、切替入力が行われる。次に７０２において、事前に取得してある共通焦点距離範囲があるかどうかの判断がなされる。共通焦点距離範囲があると判断された場合は、７０３において共通焦点距離範囲のワイド端に両方のレンズを合わせ、７０４において３Ｄ撮影モードが開始される。また７０２において、共通焦点距離範囲がないと判断された場合は、７０５において表示部に警告が出され、７０６において３Ｄ撮影モードに切り替えられることなく２Ｄ撮影モードが再開される。前述のように制御されることで、第２の実施形態よりも手順が少ないため、早く３Ｄ撮影モードに入れるという利点がある。また３Ｄ撮影モードから２Ｄ撮影モードへの切替時の制御も第１の実施形態と同様である。
【００３７】
＜第６の実施形態＞
本発明の第５の実施形態に関わる撮像装置の外観及びシステムは、第１の実施形態と同一であり、制御に関する部分のみ異なるため、制御に関してのみ説明を行う。
【００３８】
本発明の第１の実施形態に関わる撮像装置における２Ｄ撮影モードから３Ｄ撮影モードへと切替指示が出された際の制御に関して説明を行う。フローチャートを図１０に示す。ただし、実施形態のフローの前提として、撮像装置に装着されているレンズの焦点距離範囲の情報は取得してあり、共通の焦点距離範囲と共にメモリ部に蓄えてあることとする。
【００３９】
まず８０１において、２Ｄ撮影モードから３Ｄ撮影モードへの切替スイッチが押され、切替入力が行われる。次に８０２において、事前に取得してある共通焦点距離範囲があるかどうかの判断がなされる。共通焦点距離範囲があると判断された場合は、８０３において共通焦点距離範囲のテレ端に両方のレンズを合わせ、８０４において３Ｄ撮影モードが開始される。また８０２において、共通焦点距離範囲がないと判断された場合は、８０５において表示部に警告が出され、８０６において３Ｄ撮影モードに切り替えられることなく２Ｄ撮影モードが再開される。
【００４０】
前述のように制御されることで、第３の実施形態よりも手順が少ないため、早く３Ｄ撮影モードに入れるという利点がある。また３Ｄ撮影モードから２Ｄ撮影モードへの切替時の制御も第１の実施形態と同様である。
【００４１】
＜第７の実施形態＞
本発明の第５の実施形態に関わる撮像装置の外観及びシステムは、第１の実施形態と同一であり、制御に関する部分のみ異なるため、制御に関してのみ説明を行う。本発明の第１の実施形態に関わる撮像装置における２Ｄ撮影モードから３Ｄ撮影モードへと切替指示が出された際の制御に関して説明を行う。フローチャートを図１１に示す。ただし、実施形態のフローの前提として、撮像装置に装着されているレンズの焦点距離範囲の情報は取得してあり、共通の焦点距離範囲と共にメモリ部に蓄えてあることとする。
【００４２】
まず９０１において、２Ｄ撮影モードから３Ｄ撮影モードへの切替スイッチが押され、切替入力が行われる。次に９０２において、事前に取得してある共通焦点距離範囲があるかどうかの判断がなされる。共通焦点距離範囲があると判断された場合は、９０３において２Ｄ撮影時に使用していたレンズの焦点距離の位置と他方の焦点距離の中間位置、あるいは、前述した中間の焦点距離から一番近傍の共通焦点距離範囲の焦点距離に２本のレンズを合わせ、９０４において３Ｄ撮影モードが開始される。また９０２において、共通焦点距離範囲がないと判断された場合は、９０５において表示部に警告が出され、９０６において３Ｄ撮影モードに切り替えられることなく２Ｄ撮影モードが再開される。
【００４３】
前述のように制御されることで、第４の実施形態よりも手順が少ないため、早く３Ｄ撮影モードに入れるという利点がある。また３Ｄ撮影モードから２Ｄ撮影モードへの切替時の制御も第１の実施形態と同様である。
【００４４】
以上、本発明をその好適な実施形態に基づいて詳述してきたが、本発明はこれら特定の実施形態に限られるものではなく、この発明の要旨を逸脱しない範囲の様々な形態も本発明に含まれる。特にレンズのパラメータとして焦点距離に限って説明しているが、その他のレンズパラメータも同様である。上述の実施形態の一部を適宜組み合わせてもよい。
【符号の説明】
【００４５】
１００  撮像装置、１０１  レンズ１、１０２  レンズ２、１０３  マウント１、
１０４  マウント２、１０５  マウント接点１、１０６  マウント接点２、
１０７  センサ１、１０８  センサ２、１０９  表示部、１１０  ズームキー、
１１１  レンズ接点１、１１２  レンズ接点２、１１３  ＣＰＵ、
１１４  レンズ制御部、１１５  メモリ
【図１】
2016045265.tif 000003
【図２】
2016045265.tif 000004
【図３】
2016045265.tif 000005
【図４】
2016045265.tif 000006
【図５】
2016045265.tif 000007
【図６】
2016045265.tif 000008
【図７】
2016045265.tif 000009
【図８】
2016045265.tif 000010
【図９】
2016045265.tif 000011
【図１０】
2016045265.tif 000012
【図１１】
2016045265.tif 000013